(57)【要約】【課題】注射針や注射器を廃棄する際に、注射針が不用意に看護師等に刺さるのを未然に防止し得る医療廃棄容器を提供する。【解決手段】注射器の針または注射器を廃棄するための容器１であって、前記針または注射器を収容する容器本体１２と、前記容器本体１２の開口部を覆い、前記針または注射器を投入する投入開口１６を有する半透明の蓋部１０とを備え、前記蓋部１０の透明度が前記容器本体１２の透明度よりも高く、前記蓋部１０を通して視認可能な目印となるシールＳ１〜Ｓ３が前記容器本体１２の底部から立ち上がる側壁１１の内表面に貼付されている。【選択図】図１
0003150317.tif 000002
【実用新案登録請求の範囲】
【請求項１】
注射器の針または注射器を廃棄するための容器であって、
前記針または注射器を収容する容器本体と、
前記容器本体の開口部を覆い、前記針または注射器を投入する投入開口を有する半透明の蓋部とを備え、
前記蓋部の透明度が前記容器本体の透明度よりも高く、前記蓋部を通して視認可能な目印となるシールが前記容器本体の底部から立ち上がる側壁の内表面に貼付されている医療廃棄容器。
【請求項２】
請求項１において、前記蓋部は、
前記容器本体の開口部に固定され前記投入開口を有する内蓋と、
前記内蓋の前記投入開口を閉塞する外蓋と、
前記内蓋の端部において、かつ、前記容器本体の４つの側壁のうちの１つの側壁の上端近傍において、前記外蓋を前記内蓋に対して回転可能に支持するヒンジとを備え、
前記ヒンジが上端近傍に設けられた前記１つの側壁の内表面に前記シールが貼付されている医療廃棄容器。
【請求項３】
請求項２において、前記ヒンジを設けた内蓋の端部とは反対側から前記投入開口を介して前記シールを視認することができる位置に前記シールが貼付されている医療廃棄容器。
【考案の詳細な説明】
【技術分野】
【０００１】
本考案は医療廃棄容器に関するものである。
【背景技術】
【０００２】
従来より、注射針や、シリンジ（注射筒）、注射器などを投入して廃棄するための医療廃棄容器が提案されている（特許文献１参照）。
【先行技術文献】
【特許文献】
【０００３】
【特許文献１】実用新案登録第３１４２３８６号（要約書）
【考案の概要】
【考案が解決しようとする課題】
【０００４】
特許文献１の医療廃棄容器１は、図４に示すように、針、シリンジまたは注射器などからなる医療廃棄物を収容する容器本体１２と、内蓋１３および外蓋１４からなる蓋部１０を備えている。前記内蓋１３には、前記廃棄物を投入するための投入開口１６が形成されている。
【０００５】
看護師などの使用者は、注射器を使用する度に、前記廃棄物を前記投入開口１６から容器本体１２内に投入し、容器本体１２内に投入された廃棄物が所定量に達すると、外蓋１４を閉めて医療廃棄容器１全体を廃棄する。
【０００６】
しかし、前記使用者は、容器本体１２内に溜まった廃棄物がどの程度の高さまで達しているかを把握しずらい。そのため、容器本体１２内に溜まった廃棄物の分量が多くなった場合、投入開口１６から廃棄物を投入する際に、容器本体１２内の注射針が使用者の指に刺さるという医療事故が生じるおそれがある。
【０００７】
したがって、本考案の目的は、注射針や注射器を廃棄する際に、注射針が不用意に看護師等に刺さるのを未然に防止し得る医療廃棄容器を提供することである。
【課題を解決するための手段】
【０００８】
前記目的を達成するために、本考案の医療廃棄容器は、注射器の針または注射器を廃棄するための容器であって、前記針または注射器を収容する容器本体と、前記容器本体の開口部を覆い、前記針または注射器を投入する投入開口を有する半透明の蓋部とを備え、前記蓋部の透明度が前記容器本体の透明度よりも高く、前記蓋部を通して視認可能な目印となるシールが前記容器本体の底部から立ち上がる側壁の内表面に貼付されている。
【考案の効果】
【０００９】
本考案によれば、容器本体内に投入された医療廃棄物（針、シリンジまたは注射器など）の分量が多くなり、前記廃棄物が前記目印の高さまで溜まると、看護師等の使用者は当該状況を前記半透明の蓋部を介して視認することができる。そのため、容器本体内に大量の廃棄物が貯留され、前記使用者に刺さるおそれが生じる前に、前記目印の高さに廃棄物が溜まった時点で容器全体を廃棄して新たな医療廃棄容器に交換する。
したがって、容器本体内に廃棄物が大量に溜まり、看護師等が廃棄物を投入開口から投入する際に、注射針が不用意に看護師等に刺さるという医療事故を未然に防止することができる。
【００１０】
なお、前記「シール」としては、たとえば、表面に前記目印などが印字されていると共に、裏面に接着剤が塗布されると共に、該裏面に剥離紙が貼付されたものを用いるのが好ましい。
【図面の簡単な説明】
【００１１】
【図１】本考案の一実施例にかかる医療廃棄容器を示す概略斜視図である。
【図２】蓋を取り外した状態の医療廃棄容器を示す概略斜視図である。
【図３】医療廃棄容器の概略縦断面図である。
【図４】従来の医療廃棄容器を示す概略斜視図である。
【考案を実施するための形態】
【００１２】
本考案において、前記蓋部は、前記容器本体の開口部に固定され前記投入開口を有する内蓋と、前記内蓋の前記投入開口を閉塞する外蓋と、前記内蓋の端部において、かつ、前記容器本体の４つの側壁のうちの１つの側壁の上端近傍において、前記外蓋を前記内蓋に対して回転可能に支持するヒンジとを備え、前記ヒンジが上端近傍に設けられた前記１つの側壁の内表面に前記シールが貼付されているのが好ましい。
【００１３】
本態様によれば、使用者はヒンジが反対側となるように容器を使用する。したがって、使用者は外蓋を開いて本医療廃棄容器を使用する際に、ヒンジの側の側壁の内表面にシールが貼ってあることで、自ずとシールを視認することができる。
【００１４】
本考案において、前記ヒンジを設けた内蓋の端部とは反対側から前記投入開口を介して前記シールを視認することができる位置に前記シールが貼付されているのが好ましい。
本態様によれば、使用者は、投入開口を介してシールの目印を直接見ることができるので、前記目印の視認性が高まる。そのため、廃棄物が許容範囲まで溜まった医療廃棄容器を廃棄し、新しい医療廃棄容器を使用する時期がより一層分かり易くなる。
【実施例１】
【００１５】
以下、本考案に係る医療廃棄容器の一実施例を図面にしたがって説明する。
【００１６】
医療廃棄容器１：
図１に示すように、医療廃棄容器１は、注射針、シリンジまたは注射器などの医療廃棄物を廃棄するための容器である。
医療廃棄容器１は方形状の容器であり、容器本体（収容部）１２と、内蓋１３および外蓋１４からなる蓋部１０とを備えている。
【００１７】
医療廃棄容器１は、容器本体１２に対して回転可能な把手１９ｂを備えており、前記把手１９ｂを持って医療廃棄容器１を持ち運ぶことが可能である。
【００１８】
蓋部１０：
前記内蓋１３および外蓋１４は一体に成形され、内蓋１３と外蓋１４の間にはヒンジ１５が形成されている。内蓋１３は、容器本体１２の上部の開口部１２ｂ（図２）を覆うように嵌め込まれており、外蓋１４は、前記ヒンジ１５を中心に回転可能となっている。
【００１９】
前記内蓋１３は、その上面に前記廃棄物が投入される投入開口１６や、注射針の取り外しに用いる有底の取外し凹部１７などを備えている。前記廃棄物を投入開口１６から医療廃棄容器１の内部に投入するには、図１に示す外蓋１４を開いた状態で行う。
【００２０】
前記蓋部１０は、半透明の樹脂で形成されており、前記蓋部１０の透明度は、容器本体１２の透明度よりも高く設定されている。すなわち、図１の網点で示すように、蓋部１０は、内蓋１３を容器本体１２に取り付け、かつ、外蓋１４を開いた状態において、少なくとも容器本体１２内の廃棄物の輪郭が視認可能な程度に透明な樹脂で形成されている。
【００２１】
ヒンジ１５：
前記ヒンジ１５は、前記内蓋１３を容器本体１２に嵌め込んだ状態において、医療廃棄容器１の背面側Ｂに設けられている。医療廃棄容器１内に収納された前記廃棄物の廃棄を行う際には、前記ヒンジ１５を中心に外蓋１４を正面側Ｆに向って回動させ、投入開口１６を閉じた上で、外蓋１４の先端に設けた２つの爪１８ａを折り曲げて、内蓋１３上面に設けた２つの嵌合孔１８ｂにそれぞれ押し込み、外蓋１４が開かないように閉じる。
このように、前記ヒンジ１５は、前記内蓋１３の端部１３ｓにおいて、かつ、容器本体１２の４つの側壁１１のうちの１つの側壁１１ａの上端近傍において、前記外蓋１４を内蓋１３に対して回転可能に支持している。
【００２２】
シールＳ１〜Ｓ３：
前記ヒンジ１５がその上端近傍に設けられた背面側Ｂの前記側壁１１ａの内表面には、前記廃棄物の溜まり具合の目印となる３枚のシールＳ１〜Ｓ３が貼付されている。
【００２３】
前記各シールＳ１〜Ｓ３は、ヒンジ１５を設けた内蓋１３の端部１３ｓとは反対側の正面側Ｆから、看護師等の使用者が前記投入開口１６を介して視認することができる位置に貼付されている。
【００２４】
図２および図３に示すように、第１シールＳ１には、前記廃棄物の上限を示す目印となる矢印２０が略水平方向Ｙに沿って印字されている。図３に示すように、前記矢印２０は、容器本体１２の底面１２ｃから垂直方向Ｚの所定の高さＨに設定されている。前記高さＨは、該高さＨを越えて廃棄物が投入されると、前記使用者に使用済みの注射針が刺さる危険性が大きくならない程度の位置に設定されている。
【００２５】
第２シールＳ２には、前記略垂直方向Ｚに沿って所定の間隔で目盛（目印）２１が水平方向Ｙに印字されている。そのため、使用者は、前記目盛２１を参考に、廃棄物の溜まり具合を知ることができる。
一方、前記第２シールＳ２には、略垂直方向Ｚに縦帯２２が印字されている。前記縦帯２２は、下方から上方に向って水平方向Ｙの幅が大きくなるように印字されている。そのため、使用者は、廃棄物が溜まるにつれて、直観的に容器本体１２内の廃棄物が多くなっていることを知ることができる。
【００２６】
第３シールＳ３は、前記第１シールＳ１の矢印２０に使用者の注意を喚起するものであり、たとえば「ここまで」や、第１シールＳ１の矢印２０を指し示す矢印など、使用者に第１シールＳ１の矢印２０について注意を喚起する内容が印字されている。
【００２７】
前述したように、図１に示す内蓋１３は半透明の樹脂で形成されている。そのため、前記内蓋１３を介して前記シールＳ１〜Ｓ３の印字内容が視認可能であると共に、前記廃棄物の溜まり具合を視認することができる。また、内蓋１３の投入開口１６を介して容器本体１２内を視認することで、より一層はっきりとシールＳ１〜Ｓ３の印字内容および前記廃棄物の溜まり具合を視認することができる。
【００２８】
なお、前記第２シールＳ２や第３シールＳ３を必ずしも貼付する必要はない。また、第１シールＳ１は、廃棄物の上限の高さＨを示す目印が印字されていればよく、前記目印としては、必ずしも矢印である必要はない。
また、図１に示すように、容器本体１２の正面側Ｆの側壁１１ｂの外側に廃棄物の上限の高さを示す破線２３が印字された第４シールＳ４を貼付されていてもよい。
【産業上の利用可能性】
【００２９】
本考案の医療廃棄容器は、注射器の針または注射器などを廃棄するのに用いることができる。
【符号の説明】
【００３０】
１：医療廃棄容器
１０：蓋部
１２：容器本体
１２ｂ：開口部
１６：投入開口
Ｓ１〜Ｓ３：第１〜第３シール
【図１】
0003150317.tif 000003
【図２】
0003150317.tif 000004
【図３】
0003150317.tif 000005
【図４】
0003150317.tif 000006